(57)【要約】【課題】広告掲示手段として誘引性、注目度が高く、且つ情報提供力の高いディスプレイ架台を提供する。【解決手段】ディスプレイ架台を、上部に上に向いて傾斜する傾斜面を形成し同傾斜面にモニター用開口を備え、下部の表面に広告掲示部を備えた筐体と、前記モニター用開口に設置され外部に向けて映像等の情報を表示するモニターとを有してなるように構成し、またさらには、前記モニターがタッチパネル機能を備えるように構成し、あるいは前記広告掲示部が電照看板を形成するように構成した。【選択図】図１
2007133149.tif 000002
【特許請求の範囲】
【請求項１】
上部に上に向いて傾斜する傾斜面を形成し同傾斜面にモニター用開口を備え、下部の表面に広告掲示部を備えた筐体と、前記モニター用開口に設置され外部に向けて映像等の情報を表示するモニターとを有してなることを特徴とするディスプレイ架台。
【請求項２】
請求項１に記載のディスプレイ架台において、前記モニターはタッチパネル機能を有してなることを特徴とするディスプレイ架台。
【請求項３】
請求項１に記載のディスプレイ架台において、前記モニターのディスプレイ面は透視性のカバーで覆われ、同ディスプレイ面とカバーとの間の空間が気密構造とされてなることを特徴とするディスプレイ架台。
【請求項４】
請求項１ないし請求項３のいずれかに記載のディスプレイ架台において、前記筐体内には照明源を備え、前記広告掲示部は透光性部材で構成されて電照看板を形成してなることを特徴とするディスプレイ架台。
【請求項５】
請求項４に記載のディスプレイ架台において、前記広告掲示部は前記筐体に形成された広告用開口に設けた透光性部材で構成されてなることを特徴とするディスプレイ架台。
【請求項６】
請求項４に記載のディスプレイ架台において、前記広告掲示部は前記筐体の下部を形成する透光性部材で構成されてなることを特徴とするディスプレイ架台。
【請求項７】
請求項５または請求項６に記載のディスプレイ架台において、前記透光性部材はアクリル樹脂であることを特徴とするディスプレイ架台。
【請求項８】
請求項１ないし請求項７のいずれかに記載のディスプレイ架台において、前記傾斜面は背中合わせに２面設けられ、それぞれの傾斜面に前記モニター用開口と前記モニターを備えてなることを特徴とするディスプレイ架台。
【請求項９】
請求項１ないし請求項８のいずれかに記載のディスプレイ架台において、前記筐体は前記モニター及び前記照明源が通過可能なメンテナンス用開口と同メンテナンス用開口を塞ぐ蓋部材を備えてなることを特徴とするディスプレイ架台。
【請求項１０】
請求項９に記載のディスプレイ架台において、前記蓋部材は前記筐体の一部を構成する開閉扉部材であり、同開閉扉部材に前記広告掲示部を設けてなることを特徴とするディスプレイ架台。
【請求項１１】
請求項１ないし請求項１０のいずれかに記載のディスプレイ架台において、前記筐体は底部に移動用車輪を備えてなることを特徴とするディスプレイ架台を提供する。
【請求項１２】
請求項１ないし請求項１１のいずれかに記載のディスプレイ架台において、前記筐体の下部は矩形の水平断面を有してなることを特徴とするディスプレイ架台。
【請求項１３】
請求項１ないし請求項１１のいずれかに記載のディスプレイ架台において、前記筐体の下部は円形ないし楕円形の水平断面を有してなることを特徴とするディスプレイ架台を提供する。
【発明の詳細な説明】
【技術分野】
【０００１】
本発明は、広告掲示手段として誘引性、注目度が高く、且つ情報提供力の高いディスプレイ架台に関する。
【背景技術】
【０００２】
従来、訴求力の高い広告を掲示するために種々の手段が用いられているが、内外通路、店舗入口、内部等において立設し、広告を掲示して一般の通行人および顧客等の関心を呼び起こし誘引するための広告塔としてのディスプレイ架台（アド・ボードとも言う）がその１つとして用いられる。
【０００３】
従来のディスプレイ架台は一般的に、通行人または顧客等の目に自然に留まる高さに広告を掲示し、さらに、広告に対しては照明を当て、または背面からの透過照明で、輝度、彩度の高い画像、文字を表す等の工夫がなされたもの（電照看板）もあるが、設置位置、スペースの関係から掲示板状であり、あるいは移設可能であっても立て看板状に構成したものが多かった。
【０００４】
しかし、そのような従来のディスプレイ架台の場合、広告スペースには限りがあり、そこに描かれた画像、文字情報以上の内容は表示できず通行人または顧客に与える情報に限りがあり一見以上の訴求力を与えられないという問題があった。また、多くの情報を盛り込めば、個々の表現は小さく煩雑となり、与えることのできる印象はかえって薄れるという恐れがあり、特に、一定以上離れた位置にいる人を引き付ける注目度を失う恐れがあった。
【０００５】
一方、近年、情報システムの発達により、公共施設、ショッピングセンター、店舗等において、その施設、店舗等のサービス内容、販売商品等の案内を行なう情報端末としてのモニターが、所要の箇所に置かれ、利用者、顧客に案内、説明、検索機能等を提供し、その利便とともに、案内、説明のための人的コストを低減するものが種々用いられ、またその改良が提案されている（例えば特開２００４−３０３２２８号公報）。
【０００６】
しかしながら、これらのモニターは提供される情報に予め関心を持った人が進んでアクセスして利用する趣旨のものであり、その情報を必要とする特定の箇所に設置されるものであって、広告塔のような不特定多数の通行人または顧客を念頭に入れたものとは言い難く、それら不特定の人たちに対する誘引性、注目度を期待できるものでもなかった。
【０００７】
【特許文献１】特開２００４−３０３２２８号公報（実施例全般、図３〜５）
【発明の開示】
【発明が解決しようとする課題】
【０００８】
本発明は、上記のような従来の広告塔としてのディスプレイ架台の問題点や、情報端末モニターの機能の限界を解決し、広告掲示手段として誘引性、注目度が高く、且つ情報提供力の高いディスプレイ架台を提供することを課題とするものである。
【課題を解決するための手段】
【０００９】
本発明は、上記の課題を解決するためになされ、下記の（１）から（１３）の手段を提供するものであり、以下、特許請求の範囲に記載の順に説明する。
【００１０】
（１）その第１の手段として、上部に上に向いて傾斜する傾斜面を形成し同傾斜面にモニター用開口を備え、下部の表面に広告掲示部を備えた筐体と、前記モニター用開口に設置され外部に向けて映像等の情報を表示するモニターとを有してなることを特徴とするディスプレイ架台を提供する。
【００１１】
（２）第２の手段としては、第１の手段のディスプレイ架台において、前記モニターはタッチパネル機能を有してなることを特徴とするディスプレイ架台を提供する。
【００１２】
（３）また、第３の手段として、第１の手段のディスプレイ架台において、前記モニターのディスプレイ面は透視性のカバーで覆われ、同ディスプレイ面とカバーとの間の空間が気密構造とされてなることを特徴とするディスプレイ架台を提供する。
【００１３】
（４）第４の手段として、第１ないし第３のいずれかの手段のディスプレイ架台において、前記筐体内には照明源を備え、前記広告掲示部は透光性部材で構成されて電照看板を形成してなることを特徴とするディスプレイ架台を提供する。
【００１４】
（５）第５の手段として、第４の手段のディスプレイ架台において、前記広告掲示部は前記筐体に形成された広告用開口に設けた透光性部材で構成されてなることを特徴とするディスプレイ架台を提供する。
【００１５】
（６）第６の手段として、第４の手段のディスプレイ架台において、前記広告掲示部は前記筐体の下部を形成する透光性部材で構成されてなることを特徴とするディスプレイ架台を提供する。
【００１６】
（７）第７の手段として、第５または第６の手段のディスプレイ架台において、前記透光性部材はアクリル樹脂であることを特徴とするディスプレイ架台を提供する。
【００１７】
（８）第８の手段として、第１ないし第７のいずれかの手段のディスプレイ架台において、前記傾斜面は背中合わせに２面設けられ、それぞれの傾斜面に前記モニター用開口と前記モニターを備えてなることを特徴とするディスプレイ架台を提供する。
【００１８】
（９）第９の手段として、第１ないし第８のいずれかの手段のディスプレイ架台において、前記筐体は前記モニター及び前記照明源が通過可能なメンテナンス用開口と同メンテナンス用開口を塞ぐ蓋部材を備えてなることを特徴とするディスプレイ架台を提供する。
【００１９】
（１０）第１０の手段として、第９の手段のディスプレイ架台において、前記蓋部材は前記筐体の一部を構成する開閉扉部材であり、同開閉扉部材に前記広告掲示部を設けてなることを特徴とするディスプレイ架台を提供する。
【００２０】
（１１）第１１の手段として、第１ないし第１０のいずれかの手段のディスプレイ架台において、前記筐体は底部に移動用車輪を備えてなることを特徴とするディスプレイ架台を提供する。
【００２１】
（１２）第１２の手段として、第１ないし第１１のいずれかの手段のディスプレイ架台において、前記筐体の下部は矩形の水平断面を有してなることを特徴とするディスプレイ架台を提供する。
【００２２】
（１３）第１３の手段として、第１ないし第１１のいずれかの手段のディスプレイ架台において、前記筐体の下部は円形ないし楕円形の水平断面を有してなることを特徴とするディスプレイ架台を提供する。
【発明の効果】
【００２３】
（１）特許請求の範囲に記載の請求項１の発明によれば、ディスプレイ架台を上記第１の手段のように構成したので、筐体に広告掲示部を設けることができ、一般の通行人、顧客等の注意を促し、関心を引くものとなる。そしてモニターに何か映像が放映されていることに気付かせて、さらに関心を呼び起こしディスプレイ架台まで誘引することができる。一旦ディスプレイ架台に近づいた人は、さらにその映像を含む情報に興味を感じ、自然にモニターの映像、文字情報を見、あるいは読み、より深く広告対象を理解することとなる。その際、モニターが上に向いて傾斜する傾斜面に取り付けられているので、モニターのディスプレイ面が斜め上に向き、ディスプレイ架台にアクセスしその側に立った人は、快適にディスプレイ面の映像情報、文字情報を見ることができる。
【００２４】
すなわち、従来の広告塔としてのディスプレイ架台では、可能としても一見の関心しか呼ばず、具体的な情報を与えることができず、また、一時的な印象を与えても忘却され易いところを、ひとたび関心を持った人には更に詳細な情報を与ることが可能となる。一方、従来の情報端末が、それへのアクセスの誘引性を著しく欠いていた点も解消される。したがって、広告機能に加え、情報供与機能を併せて発揮できるという効果が顕著に奏されるものとなる。
【００２５】
（２）請求項２の発明によれば、上記第２の手段のように構成したので、請求項１の発明の作用効果に加え、モニターの存在に気づき、興味を感じた人は、モニターの映像、文字情報を見、あるいは読み、タッチパネル機能によって広告対象との関与を深め、情報の授受操作をすることができ、設置者側は顧客情報の入手も可能となる。したがって、広告機能に加え、情報供与、情報入手機能を併せて発揮できるという効果が顕著に奏されるものとなる。
【００２６】
（３）請求項３の発明によれば、上記第３の手段のように構成したので、請求項１の発明の作用効果に加え、屋外の風雨、砂塵、落葉等に対してモニターが保護されるものとなり、通路、展示会等の屋外スペース、店先等の屋外部分等においても設置容易である。また、モニターのディスプレイ面とカバーとの間の空間は、外部の空気が入らず気密に保たれるので、湿度、温度の変化の大きい屋外においても曇りが生じず、モニターとしての機能を損なうことがない。
【００２７】
（４）請求項４の発明によれば、上記第４の手段のように構成したので、請求項１ないし請求項３のいずれかの発明の作用効果に加え、広告掲示部に筐体内部からの照明によって電照看板を形成し、輝度、彩度の高い広告を掲示することができ、広告掲示手段として誘引性、注目度が高く、通行人または顧客等を誘引することができる。
【００２８】
（５）請求項５の発明によれば、上記第５の手段のように構成したので、請求項４の発明の作用効果に加え、広告掲示部の広告用開口から透光性部材を取り外して掲示される広告を更新する作業が容易にでき、筐体を金属部材等で構成した場合には、金属部材による筐体の構造的有利さに併せ所期の位置に電照看板を設定できる。
【００２９】
（６）請求項６の発明によれば、上記第６の手段のように構成したので、請求項４の発明の作用効果に加え、筐体自体の広い範囲を電照看板として利用でき、広告掲示手段として誘引性、注目度がより高くなる。
【００３０】
（７）請求項７の発明によれば、上記第７の手段のように構成したので、請求項５または請求項６の発明の作用効果に加え、広告掲示部の加工性、堅牢性、透明とする場合の透明性等において有利となる。
【００３１】
（８）請求項８の発明によれば、上記第８の手段のように構成したので、請求項１ないし請求項７のいずれかの発明の作用効果に加え、モニターが背中合わせに２面設けられるので前後から通行人や顧客等のアクセスが可能となると同時に、広告掲示部も筐体の前後等に設けることが有効となり、設置スペース内に中立させて設置することで、全周に向けて広告効果を発揮でき、広告掲示手段としてより効果的な誘引性、注目度が得られる。
【００３２】
（９）請求項９の発明によれば、上記第９の手段のように構成したので、請求項１ないし請求項８のいずれかの発明の作用効果に加え、モニターや照明源の調整、交換等のメンテナンスが容易であり、迅速な作業が可能なので、ディスプレイ架台として使用中においても長時間の機能停止を防止できる。
【００３３】
（１０）請求項１０の発明によれば、上記第１０の手段のように構成したので、請求項９の発明の作用効果に加え、メンテナンス用開口の開閉が容易でありメンテナンス作業がより容易になるとともに、筐体のスペースの有効利用ができ、広告掲示部への広告掲示作業が容易となり、特に広告掲示部が広告用開口と透光性部材で構成される場合はその設置が容易である。
【００３４】
（１１）請求項１１の発明によれば、上記第１１の手段のように構成したので、請求項１ないし請求項１０のいずれかの発明の作用効果に加え、ディスプレイ架台の設置、収納においてその移動が容易である。
【００３５】
（１２）請求項１２の発明によれば、上記第１２の手段のように構成したので、請求項１ないし請求項１１のいずれかの発明の作用効果に加え、構造的に容易で無駄が少なく、且つ低コストのものとできる。
【００３６】
（１３）請求項１３の発明によれば、上記第１３の手段のように構成したので、請求項１ないし請求項１１のいずれかの発明の作用効果に加え、筐体が円筒形または楕円塔形に形成されているので、設置スペース内に中立させて設置しても形状の違和感が生じ難く、全周に亘って広告塔としての存在を示すことが容易であり強いアピール力を発揮でき、広告掲示部を広い角度で形成できるので、広告掲示手段としてより効果的な誘引性、注目度が得られる。
【発明を実施するための最良の形態】
【００３７】
本発明を実施するための最良の形態として、以下に実施例１から実施例５を説明する。
【実施例１】
【００３８】
本発明の実施例１に係るディスプレイ架台を図１、図２に基づき説明する。図１（ａ）は本実施例のディスプレイ架台の正面図、（ｂ）は（ａ）中Ａ−Ａ矢視による側面図、（ｃ）は（ａ）中Ｂ−Ｂ矢視による平面図である。また、図２は本実施例の一部変形例であり、図１中Ｃ部の断面拡大図である。
【００３９】
図１において、１１は本実施例のディスプレイ架台の筐体であり、その下部１１ａは矩形の水平断面を有し、底板部２で塞がれるとともに、底板部２には移動用車輪としてキャスター３が取付けられ、移動可能に支えられている。キャスター３の個数、タイプは限定されないがブレーキ付きとすれば、ディスプレイ架台の不要な移動防止上好ましい。
【００４０】
本実施例においては、筐体１１は金属板と必要に応じて金属柱材、梁材等で構成され、金属部材で構成することで、その構造的、工作的な自由度、容易性が得られるほか、コスト的、強度的にも有利となる。金属板はボンデ鋼板等の鋼板が用い得るが、ステンレス鋼板で構成すれば防錆上や美観上好ましい。また、筐体１１の下部１１ａの水平断面を矩形とすれば、構造的に容易で無駄が少なく、且つ低コストのものとできる。
【００４１】
筐体１１の上部１１ｂには上に向いて傾斜する傾斜面１１ｃが形成され、モニター４を取り付けるためのモニター用開口５が設けられている。モニター４はそのディスプレイ面４ａを筐体１１の外側に向けてモニター用開口５を塞いで取り付けられ、筐体１１内に設けた図示しないハードディスク、ＤＶＤ、テープ等の記憶メディア装置からの映像、文字等の情報を所定のプログラムに従って放映することができる。
【００４２】
筐体１１には、宣伝放送及びモニター稼動時の音声情報を発するためのスピーカ６が必要に応じて備えられ、モニター４のディスプレイ面４ａ近傍に位置させるのが好ましい。宣伝放送は、上記記憶メディア装置からの音声情報を放送しても外部からの入力によって行ってもよい。なお、宣伝放送用にはモニター４用のスピーカ６と別のスピーカを設けてもよい。
【００４３】
モニター４はまた、ディスプレイ面４ａがタッチパネル機能を有していることが好ましい。その場合、モニター４は外部に向けて情報を発するのみでなく、操作する人からの入力情報を図示しない所定の情報管理設備へ送信するための情報回線、または好ましくは無線のＬＡＮシステムを備えるものとする。
【００４４】
筐体１１の下部１１ａにはモニター４や後述の照明源２１が通過可能なメンテナンス用開口７が設けられ、メンテナンス用開口７を塞ぐ蓋部材となる開閉扉部材８が揺動開閉可能に設けられている。従って、モニター４や照明源２１の調整、交換等のメンテナンスが容易であり、迅速な作業が可能なので、ディスプレイ架台として使用中においても長時間の機能停止を防止できる。また、開閉扉部材８を用いることでメンテナンス用開口７の開閉が容易でありメンテナンス作業がより容易になるとともに、開閉扉部材８に下記のように広告用開口９を設ければ、筐体１１のスペースの有効利用ができ、広告用開口９への透光性部材２０ａの通り付けや広告掲示作業が容易となる。
【００４５】
開閉扉部材８は閉じた状態で筐体１１を塞ぎ筐体１１の一部を構成するとともに、広告用開口９を有する。広告用開口９には、筐体１１内外を仕切るように透光性部材２０ａが設けられ、広告掲示部２０を形成している。透光性部材２０ａは、例えばその加工性、堅牢性、透明とする場合の透明性等が高いのでアクリル樹脂板を用いることが好ましい。なお、透光性部材２０ａは広告掲示部の広告掲示方式によって半透明材、または透明材が選択される。広告掲示方式としては、シルクスクリーン印刷、カッティングマシーンによる貼り込み、大型出力機による写真対応イメージ広告等がある。掲示する広告は、透光性部材２０ａから剥ぎ取って新しいものを張り替えるか、印刷を施された透光性部材２０ａなどの場合は新しい印刷済み透光性部材２０ａに交換することで広告の内容を更新できる。従って、広告用開口９に透光性部材２０ａを取り付けて広告掲示部２０を形成したものは、透光性部材２０ａを取り外すことで容易に広告の更新作業ができる。
【００４６】
なお、メンテナンス用開口７は開閉扉部材８ではなく、別途の蓋部材で塞いでもよく、その場合、開閉扉部材８は廃して筐体１１の下部１１ａの適宜な位置に直接広告用開口９を設け、そこに透光性部材２０ａを取り付けて広告掲示部２０としてもよい。
【００４７】
筐体１１内部には、広告掲示部２０を内部から照明するための照明源２１が設けられている。照明源２１は底板部２から立ち上げたスタンド部２１ａに棒状の蛍光灯２１ｂを縦方向に取り付けたものを図示したが、勿論それに限定されるものではなく、Ｕ字状の蛍光灯、白熱灯他種々適宜のものが使用できスタンド部２１ａもそれに合わせて構成される。もっとも、照明源２１の種類と、取り付けの位置、向きは、コスト、メンテナンスの観点の他、広告掲示部２０への照明状態が企図する状態となるように選定される。
【００４８】
図１において、２２は筐体１１に接続する、電源、または更に、情報回線のための接続コードであって、ディスプレイ架台の設置位置において外部の電源、または更に、情報回線と接続するものである。
【００４９】
以上のように構成された本実施例のディスプレイ架台によれば、筐体１１に広告掲示部２０を設けることができ、特に広告掲示部２０に筐体１１内部からの照明によって、輝度、彩度の高い広告を掲示することで、一般の通行人、顧客等の注意を促し、関心を引き、広告掲示手段として誘引性、注目度が高く、さらに広告放送を加えることができる条件では訴求力をより高めることができ、何に関して宣伝しているのかを十分知らせることにより、通行人または顧客等を誘引することができる。
【００５０】
そして、モニター４に何か映像が放映されていることを気付かせて、さらに通行人、顧客等の関心を呼び起こし、ディスプレイ架台まで誘引することができる。一旦ディスプレイ架台に近づいた人は、その映像を含む情報に興味を感じ、自然にモニターの映像、文字情報を見、あるいは読み、より深く広告対象を理解することとなる。またさらに、スピーカ６による音声情報を加える場合にはそれを聞き、タッチパネル機能を有する場合は、それによって広告対象との関与を深め、情報の授受操作をすることなる。
【００５１】
その際、モニター４が上に向いて傾斜する傾斜面１１ｃに取り付けられているので、ディスプレイ面４ａが斜め上に向き、ディスプレイ架台にアクセスしその側に立った人は、快適にディスプレイ面４ａの映像情報、文字情報を見ることができ、タッチパネル機能を有する場合は容易に且つ快適に情報の授受を行なうことができる。
【００５２】
すなわち、従来の広告塔としてのディスプレイ架台では、可能としても一見の関心しか呼ばず、具体的な情報を与えることができず、また、一時的な印象を与えても忘却され易いところを、ひとたび関心を持った人にはモニターにより詳細な情報を与え、更にタッチパネル機能によってアクセスした人にその望む情報を与え、設置者側は顧客情報の入手も可能となる。一方、従来のタッチパネル式の情報端末が、それへのアクセスの誘引性を著しく欠いていた点も解消される。したがって、広告機能に加え、情報供与、情報入手機能を併せて発揮できるという効果が顕著に奏されるものとなる。
【００５３】
また、本実施例のディスプレイ架台は、筐体１１に蓋部材で閉じられるメンテナンス用開口７が設けられているのでモニター４、照明源２１等のメンテナンスが容易となると共に筐体１１に広告掲示部２０を設け、筐体１１を広告塔として有効に用いることができる。そして、ディスプレイ架台はキャスター３を備えているので、設置、収納においてその移動が容易であり、ブレーキ付きキャスターとすれば設置位置での固定ができる。また、底板部２に強度部材を設け、要に応じさらに錘等重量部材を設置すれば転倒も防止できる。
【００５４】
図２は、本実施例のディスプレイ架台を屋外に設置する場合の一部変形例である。図２に示すように本変形例では、筐体１１の傾斜面１１ｃにおいて、モニター４のディスプレイ面４ａが、ゴム、合成樹脂等のシール材２３を介して押さえ部材２４で傾斜面１１ｃに取り付けられた透明性のカバー２５で覆われ、ディスプレイ面４ａとカバー２５との間の空間２６が気密構造とされている点が異なるほか、他の構造は同じである。透明性のカバー２５は、アクリル樹脂、強化ガラス等適宜のものである。
【００５５】
したがって、特に屋外の風雨、砂塵、落葉等に対してモニターが保護されている点が異なる特徴であり、通路、展示会等の屋外スペース、店先等の屋外部分等においても設置容易である。なお、筐体１１の構造、スピーカ６取り付け等においては屋外用になされる通常の防水措置が取られるのが好ましい。
【００５６】
なお、図２の気密取り付け構造の図示は、カバー２５を気密構造を備えて取り付けることを示すための簡略図示であって、あくまでも一例であり、その図示構造に限定されず、適宜な気密取り付け構造で良いことは言うまでもない。
【００５７】
カバー２５によって、屋外でのディスプレイ面４ａを保護できるほか、ディスプレイ面４ａとカバー２５との間の空間２６は、外部の空気が入らず気密に保たれるので、湿度、温度の変化の大きい屋外においても曇りが生じず、モニターとしての機能を損なうことがない。もっとも、本変形例のようにカバー２５を設けた場合は、タッチパネル機能を設けることは困難となり、タッチパネル機能無しの使用となるが、その他の機能、作用効果は上記実施例１と同様に奏することができるものとなる。しかも、シール性のボタンスイッチ等を設置すれば限られた範囲で十分な情報授受が可能であり、実質的に実施例１と同様に用いることも可能である。
【実施例２】
【００５８】
本発明の実施例２に係るディスプレイ架台を図３に基づき説明する。図３（ａ）は本実施例のディスプレイ架台の正面図、（ｂ）は（ａ）中Ｄ−Ｄ矢視による側面図、（ｃ）は（ｂ）中Ｅ−Ｅ矢視による背面図である。
【００５９】
本実施例の実施例１との主な違いは、筐体１２をアクリル樹脂等の透光性部材２０ａで構成した点にあり、他は基本的には実施例１と同様である。従って、以下、実施例１と異なる点を主に説明し、同様部分については同符号を付して説明を省略ないしは簡略にする。
【００６０】
本実施例の場合、筐体１２内部に設けた照明源２１により筐体１２全体が内部から照明されるので、筐体全体を広告掲示部２０とすることができるが、筐体１２の上部１２ｂは傾斜面１２ｃにモニター４、スピーカ６等が設置されるので、下部１２ａの正面、または加えて側面を広告掲示部２０としている。従って筐体１２の少なくとも下部１２ａを透光性部材２０ａとしてもよい。筐体１２の背面１２ｄも広告掲示部２０とすることができるが、モニター４の向きから、設置した状態では背面１２ｄは目の届かない方向となる可能性があり、その場合は省略される。
【００６１】
また、本実施例では実施例１における開閉扉部材８を設けず、筐体１２の背面１２ｄにメンテナンス用開口７を設けて蓋部材７ａにより塞ぐ構造としている。蓋部材７ａは背面１２ｄにビス止めされる。しかし、本実施例においても、メンテナンス用開口７に蓋部材７ａを設けるのではなく、実施例１と同様にメンテナンス用開口７に開閉扉部材を設けてもよい。
【００６２】
なお、広告掲示部２０を正面と側面とした場合、照明源２１のスタンド部材２１ａは棒状の蛍光灯２１ｂより内側に位置させて影が出難くするとよく、更にはより影の出難い種類、構造の照明源２１を選択してもよい。また、あえて広告掲示部２０以外の部分の筐体１２にシール等を張ることでの透光性を減じ、広告掲示部２０を際立たせ、広告効果の向上を図ってもよい。
【００６３】
以上のように、本実施例のディスプレイ架台によれば、筐体１２が透光性部材２０ａで構成されるので、広告掲示部２０を広くとれ、特に広告掲示部２０に筐体１１内部からの照明によって輝度、彩度の高い広告を掲示することで、筐体自体の広い範囲を電照看板として利用でき、広告掲示手段としてのより効果的な誘引性、注目度が得られる。そして、その他の作用効果は実施例１と同様に奏するものとなる。
【００６４】
なお、本実施例においても、実施例１の図２に示したように、気密構造を備えて取り付けられた透視性のカバー２１でモニター４のディスプレイ面４ａを覆う構造とすることができ、その作用効果を同様に奏することができる。
【実施例３】
【００６５】
本発明の実施例３に係るディスプレイ架台を図４に基づき説明する。図４（ａ）は本実施例のディスプレイ架台の正面図、（ｂ）は（ａ）中Ｆ−Ｆ矢視による側面図、（ｃ）は（ａ）中Ｇ−Ｇ矢視による平面図である。
【００６６】
本実施例の実施例１との主な違いは、筐体１３の上部１３ｂに背中合わせに傾斜面１３ｃが２面設けられ、それぞれの傾斜面１３ｃにモニター用開口５とモニター４を備えている点にあり、他は基本的には実施例１と同様である。従って、以下、実施例１と異なる点を主に説明し、同様部分については同符号を付して説明を省略ないしは簡略にする。
【００６７】
本実施例の場合、モニター４のディスプレイ部４ａが前後２面設けられるので、前後からの通行人や顧客の注視、アクセスが可能な配置が前提となるため、広告掲示部２０も少なくとも前後２面設けることが好ましく、筐体１３内部に設けた照明源２１により前後２面の広告掲示部２０の透光性部材２０ａが内部から照明される。
【００６８】
本実施例のディスプレイ架台においては、実施例１と同様に、筐体１３の下部１３ｂにメンテナンス用開口７が設けられ、メンテナンス用開口７を塞ぐ蓋部材となる開閉扉部材８が揺動開閉可能に設けられ、開閉扉部材８は閉じた状態で筐体を塞ぎ筐体１３の一部を構成するとともに、広告用開口９を有する。広告用開口９には、筐体１１内外を仕切るように透光性部材２０ａが設けられて各広告掲示部２０が形成されている。図４においては前後の広告掲示部２０が開閉扉部材８に設けられているが、メンテナンス用開口７は一方のみ設けることとし、メンテナンス用開口７側でない他方の広告掲示部２０は筐体１３の下部１３ａの適宜な部分に直接広告用開口９を設けて、そこに透光性部材２０ａを取り付け広告掲示部２０を構成してもよい。
【００６９】
なお、メンテナンス用開口７は開閉扉部材８ではなく、別途の蓋部材で塞いでもよく、その場合、メンテナンス用開口７は筐体１３の適宜な位置、例えば側面に設け、筐体１３の下部１３ａの適宜な位置、例えば前後面に直接広告用開口９を設け、そこに透光性部材２０ａを取り付けて広告掲示部２０としてもよい。
【００７０】
なお、広告掲示部２０を正面と後面とした場合、照明源２１のスタンド部材２１ａは棒状の蛍光灯２１ｂより側方に位置させて影が出難くするとよく、更にはより影の出難い種類、構造の照明源２１を選択してもよい。
【００７１】
以上のように、本実施例のディスプレイ架台によれば、モニター４が背中合わせに２面設けられるので前後から通行人や顧客等のアクセスが可能となると同時に、広告掲示部２０も筐体１３の前後等に設けることが有効となり、設置スペース内に中立させて設置することで、全周に向けて広告効果を発揮でき、広告掲示手段としてより効果的な誘引性、注目度が得られる。そして、その他の作用効果は実施例１と同様に奏するものとなる。
【００７２】
なお、本実施例においても、図３に示す実施例２のように筐体１３を透光性部材２０ａで構成してもよく、その場合はそのことによる実施例２で説明した作用効果を奏することができる。また、図２に示したように、気密構造を備えて取り付けられた透視性のカバー２５でモニター４のディスプレイ面４ａを覆う構造とすることができ、その作用効果を同様に奏することができる。
【実施例４】
【００７３】
本発明の実施例４に係るディスプレイ架台を図５に基づき説明する。図５（ａ）は本実施例のディスプレイ架台の正面図、（ｂ）は（ａ）中Ｈ−Ｈ矢視による側面図、（ｃ）は（ａ）中Ｉ−Ｉ矢視による平面図である。
【００７４】
本実施例の実施例１との主な違いは、筐体１４が円筒形に形成された点にあり、他は基本的には実施例１と同様である。従って、以下、実施例１と異なる点を主に説明し、同様部分については同符号を付して説明を省略ないしは簡略にする。
【００７５】
本実施例においては、筐体１４の少なくとも下部１４ａは円形の水平断面を有し、メンテナンス用開口７とそれを塞ぐように設けられる開閉扉部材８は筐体１４下部１４ａの円筒形面に沿った形状に形成され、開閉扉部材８に設けられる広告用開口９、広告掲示部２０、そこに取り付けられる透光性部材２０ａも円筒形面に沿った形状に形成されている。筐体１４の上部１４ｂには傾斜面１４ｃが適宜な一方を向いて設けられ、モニター４が取り付けられる。
【００７６】
本実施例のディスプレイ架台によれば、筐体１４が円筒形に形成されているので、設置スペース内に中立させて設置しても形状の違和感が生じ難く、全周に亘って広告塔としての存在を示すことが容易であり強いアピール力を発揮でき、広告掲示部２０を広い角度で形成できるので、広告掲示手段としてより効果的な誘引性、注目度が得られる。そして、その他の作用効果は実施例１と同様に奏するものとなる。
【００７７】
なお、本実施例においても、図３に示す実施例２のように筐体１４を透光性部材２０ａで構成してもよく、その場合はそのことによる実施例２で説明した作用効果を奏することができる。また、図２に示したように、気密構造を備えて取り付けられた透視性のカバー２５でモニター４のディスプレイ面４ａを覆う構造とすることができ、その作用効果を同様に奏することができる。
【実施例５】
【００７８】
本発明の実施例５に係るディスプレイ架台を図６に基づき説明する。図６（ａ）は本実施例のディスプレイ架台の正面図、（ｂ）は（ａ）中Ｊ−Ｊ矢視による側面図、（ｃ）は（ａ）中Ｋ−Ｋ矢視による平面図である。
【００７９】
本実施例は実施例４に対して、筐体１５の上部１５ｂに背中合わせに傾斜面１５ｃが２面設けられ、それぞれの傾斜面１５ｃにモニター用開口５とモニター４を備えている点と、筐体１５が透光性部材２０ａで構成されている点が主な違いであり、他は基本的には実施例４と同様である。従って、以下、実施例４と異なる点を主に説明し、同様部分については同符号を付して説明を省略ないしは簡略にする。
【００８０】
本実施例の場合、モニター４のディスプレイ部４ａが前後２面設けられるので、前後からの通行人や顧客等の注視、アクセスが可能な配置が前提となり、また、筐体１５が円筒形に形成され透光性部材２０ａで構成されていることから広告掲示部２０は筐体１５の下部１５ａの全周に亘って連続して設けることができる。また、筐体１５内部に設けた照明源２１により全周の広告掲示部２０の透光性部材２０ａを内部から照明することができる。
【００８１】
本実施例のディスプレイ架台においては、筐体１５の全周に亘る広告掲示部２０を効果的に形成するために、筐体１５の下部１５ａの側面にメンテナンス用開口７が設けられ、メンテナンス用開口７を蓋部材７ａが塞ぐように取り付けられる。蓋部材７ａは閉じた状態で筐体１５の一部を構成するので、透光性部材２０ａで構成して広告掲示部２０の一部を形成するようにしてもよい。
【００８２】
なお、広告掲示部２０を全周とした場合、照明源２１は影の出難い種類、構造の照明源２１を選択することが好ましい。
【００８３】
以上のように、本実施例のディスプレイ架台によれば、モニター４が背中合わせに２面設けられるので前後から通行人や顧客等のアクセスが可能となると同時に、広告掲示部２０を筐体１５の全周に向けて、また更に全周連続して設けることが可能且つ有効となり、設置スペース内に中立させて設置することで、ディスプレイ架台の全周に向けて広告効果を発揮でき、広告掲示手段として、より効果的な誘引性、注目度が得られる。そして、その他の作用効果は実施例４と同様に奏するものとなる。
【００８４】
なお、本実施例においても、実施例１、３、４のように筐体１５を金属部材で構成し、筐体１５の一部またはメンテナンス用開口７の開閉扉部材８に広告用開口９を設けて、そこに透光性部材２０ａを取り付け広告掲示部２０を形成してもよく、その場合はそのことによる実施例１で説明したような構造上の効果を有することができる。また、図２に示したように、気密構造を備えて取り付けられた透視性のカバー２５でモニター４のディスプレイ面４ａを覆う構造とすることができ、その作用効果を同様に奏することができる。
【００８５】
以上、本発明を図示の実施例について説明したが、本発明は上記の実施例に限定されず、本発明の範囲内でその具体的構造、構成に種々の変更を加えてよいことはいうまでもない。
【００８６】
例えば、前記実施例４、５における筐体１４、１５の下部１４ａ、１５ａは、水平断面が円形に代えて楕円形に構成されてもよい。
【００８７】
また、モニター４を取り付ける傾斜面１１ｃ〜１５ｃは、図示のような平面に限られず曲面に形成されたものとしてもよく、ディスプレイ面４ａの角度設定の自由度が増すほか、ディスプレイ架台を、より美観的な形状に形成できる。
【００８８】
広告掲示部２０の広告用開口９に取り付けた透光性部材２０ａは取り外し可能な構造として、取り外された後の広告用開口９をメンテナンス用開口７と兼ねるものとしてもよく、また、筐体１２〜１５の下部が広告掲示部２０を形成する場合は広告掲示部２０の一部または全部を取り外し可能な構造として、外された後の開口がメンテナンス用開口７となるものとしてもよく、その場合、広告の更新が容易となるほか、構造を単純化でき、メンテナンスが正面等アクセスしやすい位置から行なえるような構造とすることが容易である。
【図面の簡単な説明】
【００８９】
【図１】（ａ）は本発明の実施例１に係るディスプレイ架台の正面図、（ｂ）は（ａ）中Ａ−Ａ矢視による側面図、（ｃ）は（ａ）中Ｂ−Ｂ矢視による平面図である。
【図２】図１中Ｃ部の断面拡大図であり、実施例１の一部変形例である。
【図３】（ａ）は本発明の実施例２に係るディスプレイ架台の正面図、（ｂ）は（ａ）中Ｄ−Ｄ矢視による側面図、（ｃ）は（ｂ）中Ｅ−Ｅ矢視による背面図である。
【図４】（ａ）は本発明の実施例３に係るディスプレイ架台の正面図、（ｂ）は（ａ）中Ｆ−Ｆ矢視による側面図、（ｃ）は（ａ）中Ｇ−Ｇ矢視による平面図である。
【図５】（ａ）は本発明の実施例４に係るディスプレイ架台の正面図、（ｂ）は（ａ）中Ｈ−Ｈ矢視による側面図、（ｃ）は（ａ）中Ｉ−Ｉ矢視による平面図である。
【図６】（ａ）は本発明の実施例５に係るディスプレイ架台の正面図、（ｂ）は（ａ）中Ｊ−Ｊ矢視による側面図、（ｃ）は（ａ）中Ｋ−Ｋ矢視による平面図である。
【符号の説明】
【００９０】
２                  底板部
３                  キャスター
４                  モニター
４ａ                ディスプレイ面
５                  モニター用開口
６                  スピーカ
７                  メンテナンス用開口
７ａ                蓋部材
８                  開閉扉部材
９                  広告用開口
１１、１２、１３、１４、１５  筐体
１１ａ、１２ａ、１３ａ、１４ａ、１５ａ  下部
１１ｂ、１２ｂ、１３ｂ、１４ｂ、１５ｂ  上部
１１ｃ、１２ｃ、１３ｃ、１４ｃ、１５ｃ  傾斜面
１２ｄ              背面
２０                広告掲示部
２０ａ              透光性部材
２１                照明源
２２                接続コード
２３                シール材
２４                押さえ部材
２５                カバー
２６                空間
【図１】
2007133149.tif 000003
【図２】
2007133149.tif 000004
【図３】
2007133149.tif 000005
【図４】
2007133149.tif 000006
【図５】
2007133149.tif 000007
【図６】
2007133149.tif 000008